(57)【特許請求の範囲】
【請求項１】
第１の太陽電池ストリングによって発電される電力を変圧してインバータに出力する第１の変圧部と、
第２の太陽電池ストリングによって発電される電力を変圧して前記インバータに出力する第２の変圧部と、
前記第１の変圧部および前記第２の変圧部を制御する制御部と、を備え、
前記第１の変圧部は、前記第１の変圧部から出力される電力の逆流を防止する第１のダイオード、および前記第１の太陽電池ストリングと前記インバータとの接続を開閉する第１の開閉器を有し、
前記第２の変圧部は、前記第２の変圧部から出力される電力の逆流を防止する第２のダイオード、および前記第２の太陽電池ストリングと前記インバータとの接続を開閉する第２の開閉器を有し、
前記制御部は、前記第１のダイオードが、前記第１の変圧部から出力される電力の逆流を防止できていない場合に、前記第１の開閉器および前記第２の開閉器を開状態にした後、前記第２の開閉器を閉状態にするように制御することを特徴とする、電力制御装置。
【請求項２】
前記第１の変圧部は、前記第１の太陽電池ストリングによって発電される電力の電圧値を検出する第１の電圧センサを有し、
前記制御部は、前記第１の電圧センサによって検出される電圧値が第１の閾値を下回った場合、前記第１のダイオードが前記第１の変圧部から出力される電力の逆流を防止できていないと判定する、請求項１に記載の電力制御装置。
【請求項３】
前記第２の変圧部は、前記第２の太陽電池ストリングによって発電される電力の電流値を検出する第２の電流センサと、前記第２の太陽電池ストリングによって発電される電力の電圧値を検出する第２の電圧センサと、を有し、
前記制御部は、前記第１の開閉器および前記第２の開閉器を開状態にした後、前記第２の電圧センサによって検出される電圧値が第２の閾値以上であり、かつ前記第２の電流センサによって検出される電流値が第３の閾値以下である場合に、前記第２の開閉器を閉状態にするように制御する、請求項２に記載の電力制御装置。
【請求項４】
前記第１の変圧部は、前記第１の太陽電池ストリングによって発電される電力の電流値を検出する第１の電流センサを有し、
前記制御部は、前記第１の開閉器および前記第２の開閉器を開状態にした後、前記第１の電圧センサによって検出される電圧値が第２の閾値を下回り、かつ前記第１の電流センサによって検出される電流値が第３の閾値を超える場合に、前記第１の開閉器を開状態にしたままにするように制御する、請求項２に記載の電力制御装置。
【請求項５】
第３の太陽電池ストリングによって発電される電力を変圧して前記インバータに出力する第３の変圧部を備え、
前記第３の変圧部は、前記第３の変圧部から出力される電力の逆流を防止する第３のダイオード、および前記第３の太陽電池ストリングと前記インバータとの接続を開閉する第３の開閉器を有し、
前記制御部は、
前記第１の変圧部、前記第２の変圧部、および前記第３の変圧部を制御し、
前記第１のダイオードが、前記第１の変圧部から出力される電力の逆流を防止できていない場合に、前記第１の開閉器、前記第２の開閉器、および前記第３の開閉器を開状態にした後、前記第２の開閉器および前記第３の開閉器を閉状態にするように制御する、請求項１から４のいずれかに記載の電力制御装置。
【請求項６】
第１の太陽電池ストリングと、第２の太陽電池ストリングと、電力制御装置と、を含む電力制御システムであって、
前記電力制御装置は、
前記第１の太陽電池ストリングによって発電される電力を変圧してインバータに出力する第１の変圧部と、
前記第２の太陽電池ストリングによって発電される電力を変圧して前記インバータに出力する第２の変圧部と、
前記第１の変圧部および前記第２の変圧部を制御する制御部と、を備え、
前記第１の変圧部は、前記第１の変圧部から出力される電力の逆流を防止する第１のダイオード、および前記第１の太陽電池ストリングと前記インバータとの接続を開閉する第１の開閉器を備え、
前記第２の変圧部は、前記第２の変圧部から出力される電力の逆流を防止する第２のダイオード、および前記第２の太陽電池ストリングと前記インバータとの接続を開閉する第２の開閉器を備え、
前記制御部は、前記第１のダイオードが、前記第１の変圧部から出力される電力の逆流を防止できていない場合に、前記第１の開閉器および前記第２の開閉器を開状態にした後、前記第２の開閉器を閉状態にするように制御することを特徴とする、電力制御システム。
【請求項７】
前記第１の変圧部は、前記第１の太陽電池ストリングによって発電される電力の電圧値を検出する第１の電圧センサを有し、
前記制御部は、前記第１の電圧センサによって検出される電圧値が第１の閾値を下回った場合、前記第１のダイオードが前記第１の変圧部から出力される電力の逆流を防止できていないと判定する、請求項６に記載の電力制御システム。
【請求項８】
前記第２の変圧部は、前記第２の太陽電池ストリングによって発電される電力の電流値を検出する第２の電流センサと、前記第２の太陽電池ストリングによって発電される電力の電圧値を検出する第２の電圧センサと、を有し、
前記制御部は、前記第１の開閉器および前記第２の開閉器を開状態にした後、前記第２の電圧センサによって検出される電圧値が第２の閾値以上であり、かつ前記第２の電流センサによって検出される電流値が第３の閾値以下である場合に、前記第２の開閉器を閉状態にするように制御する、請求項７に記載の電力制御システム。
【請求項９】
前記第１の変圧部は、前記第１の太陽電池ストリングによって発電される電力の電流値を検出する第１の電流センサを有し、
前記制御部は、前記第１の開閉器および前記第２の開閉器を開状態にした後、前記第１の電圧センサによって検出される電圧値が第２の閾値を下回り、かつ前記第１の電流センサによって検出される電流値が第３の閾値を超える場合に、前記第１の開閉器を開状態にしたままにするように制御する、請求項７に記載の電力制御システム。
【請求項１０】
前記電力制御システムは、第３の太陽電池ストリングを含み、
前記電力制御装置は、
前記第３の太陽電池ストリングによって発電される電力を変圧して前記インバータに出力する第３の変圧部を備え、
前記第３の変圧部は、前記第３の変圧部から出力される電力の逆流を防止する第３のダイオード、および前記第３の太陽電池ストリングと前記インバータとの接続を開閉する第３の開閉器を有し、
前記制御部は、
前記第１の変圧部、前記第２の変圧部、および前記第３の変圧部を制御し、
前記第１のダイオードが、前記第１の変圧部から出力される電力の逆流を防止できていない場合に、前記第１の開閉器、前記第２の開閉器、および前記第３の開閉器を開状態にした後、前記第２の開閉器および前記第３の開閉器を閉状態にするように制御する、請求項６から９のいずれかに記載の電力制御システム。
【請求項１１】
第１の太陽電池ストリングおよび第２の太陽電池ストリングによって発電される電力を制御する電力制御装置における電力制御方法であって、
前記電力制御装置は、
前記第１の太陽電池ストリングによって発電される電力を変圧してインバータに出力する第１の変圧部と、
前記第２の太陽電池ストリングによって発電される電力を変圧して前記インバータに出力する第２の変圧部と、
を備え、
前記第１の変圧部は、前記第１の変圧部から出力される電力の逆流を防止する第１のダイオード、および前記第１の太陽電池ストリングと前記インバータとの接続を開閉する第１の開閉器を有し、
前記第２の変圧部は、前記第２の変圧部から出力される電力の逆流を防止する第２のダイオード、および前記第２の太陽電池ストリングと前記インバータとの接続を開閉する第２の開閉器を有し、
前記電力制御方法は、
前記第１のダイオードが前記第１の変圧部から出力される電力の逆流を防止できていないことを判定する判定ステップと、
前記判定ステップにおいて、前記第１のダイオードが前記第１の変圧部から出力される電力の逆流を防止できていないと判定されたら、前記第１の開閉器および前記第２の開閉器を開状態にする開ステップと、
前記開ステップに次いで、前記第２の開閉器を閉状態にする閉ステップと、を含むことを特徴とする電力制御方法。
【請求項１２】
前記第１の変圧部は、前記第１の太陽電池ストリングによって発電される電力の電圧値を検出する第１の電圧センサを有し、
前記判定ステップでは、前記第１の電圧センサによって検出される電圧値が第１の閾値を下回った場合、前記第１のダイオードが前記第１の変圧部から出力される電力の逆流を防止できていないと判定する、請求項１１に記載の電力制御方法。
【請求項１３】
前記第２の変圧部は、前記第２の太陽電池ストリングによって発電される電力の電流値を検出する第２の電流センサと、前記第２の太陽電池ストリングによって発電される電力の電圧値を検出する第２の電圧センサと、を有し、
前記閉ステップでは、前記開ステップにおいて前記第１の開閉器および前記第２の開閉器を開状態にした後、前記第２の電圧センサによって検出される電圧値が第２の閾値以上であり、かつ前記第２の電流センサによって検出される電流値が第３の閾値以下である場合に、前記第２の開閉器を閉状態にする、請求項１２に記載の電力制御方法。
【請求項１４】
前記第１の変圧部は、前記第１の太陽電池ストリングによって発電される電力の電流値を検出する第１の電流センサを有し、
前記開ステップにおいて前記第１の開閉器および前記第２の開閉器を開状態にした後、前記第１の電圧センサによって検出される電圧値が第２の閾値を下回り、かつ前記第１の電流センサによって検出される電流値が第３の閾値を超える場合に、前記第１の開閉器を開状態にしたままにする、請求項１２に記載の電力制御方法。
【請求項１５】
前記電力制御装置は、第３の太陽電池ストリングによって発電される電力を制御し、
前記電力制御装置は、前記第３の太陽電池ストリングによって発電される電力を変圧して前記インバータに出力する第３の変圧部を備え、
前記第３の変圧部は、前記第３の変圧部から出力される電力の逆流を防止する第３のダイオード、および前記第３の太陽電池ストリングと前記インバータとの接続を開閉する第３の開閉器を有し、
前記電力制御方法は、
前記第１の変圧部、前記第２の変圧部、および前記第３の変圧部を制御する制御ステップを含み、
前記判定ステップにおいて、前記第１のダイオードが、前記第１の変圧部から出力される電力の逆流を防止できていない場合に、前記開ステップにおいて、前記第１の開閉器、前記第２の開閉器、および前記第３の開閉器を開状態にした後、前記閉ステップにおいて、前記第２の開閉器および前記第３の開閉器を閉状態にするように制御する、請求項１１から１４のいずれかに記載の電力制御方法。
【発明の詳細な説明】
【関連出願へのクロスリファレンス】
【０００１】
本出願は、２０１５年１月２８日に出願された日本国特許出願第２０１５−１４７９５号に基づく優先権を主張するものであり、この先の出願の開示全体を、ここに参照のために取り込む。
【技術分野】
【０００２】
本発明は、電力制御装置、電力制御システム、および電力制御方法に関する。
【背景技術】
【０００３】
近年、太陽電池ストリングを複数接続して、これら複数の太陽電池ストリングが発電する電力を制御するパワーコンディショナ（インバータ）のような電力制御装置が知られている。従来、複数の太陽電池ストリングの配線を接続箱に集約し、その接続箱から出力される電力を制御する単一型（または集中型）のパワーコンディショナが多く採用されていた。しかしながら、最近は、複数の太陽電池ストリングを直接接続することができるマルチストリング方式のパワーコンディショナが台頭しつつある。【０００４】
このようなマルチストリング方式のパワーコンディショナは、最大電力点追従（ＭＰＰＴ）機能を有するＤＣ／ＤＣコンバータによって、それぞれの電圧を調整しながら、最大の電力を生みだすための動作点を制御する。このようにして、マルチストリング方式のパワーコンディショナは、それぞれの太陽電池ストリングの発電量を最大まで高めることができる。
【先行技術文献】
【特許文献】
【０００５】
【特許文献１】特開平８−２５１８１８号公報
【発明の概要】
【課題を解決するための手段】
【０００６】
第１の観点に係る電力制御装置は、
第１の太陽電池ストリングによって発電される電力を変圧してインバータに出力する第１の変圧部と、
第２の太陽電池ストリングによって発電される電力を変圧して前記インバータに出力する第２の変圧部と、
前記第１の変圧部および前記第２の変圧部を制御する制御部と、を備え、
前記第１の変圧部は、前記第１の変圧部から出力される電力の逆流を防止する第１のダイオード、および前記第１の太陽電池ストリングと前記インバータとの接続を開閉する第１の開閉器を有し、
前記第２の変圧部は、前記第２の変圧部から出力される電力の逆流を防止する第２のダイオード、および前記第２の太陽電池ストリングと前記インバータとの接続を開閉する第２の開閉器を有し、
前記制御部は、前記第１のダイオードが、前記第１の変圧部から出力される電力の逆流を防止できていない場合に、前記第１の開閉器および前記第２の開閉器を開状態にした後、前記第２の開閉器を閉状態にするように制御する。
【０００７】
第２の観点に係る電力制御システムは、
第１の太陽電池ストリングと、第２の太陽電池ストリングと、電力制御装置と、を含み、
前記電力制御装置は、
前記第１の太陽電池ストリングによって発電される電力を変圧してインバータに出力する第１の変圧部と、
前記第２の太陽電池ストリングによって発電される電力を変圧して前記インバータに出力する第２の変圧部と、
前記第１の変圧部および前記第２の変圧部を制御する制御部と、を備え、
前記第１の変圧部は、前記第１の変圧部から出力される電力の逆流を防止する第１のダイオード、および前記第１の太陽電池ストリングと前記インバータとの接続を開閉する第１の開閉器を備え、
前記第２の変圧部は、前記第２の変圧部から出力される電力の逆流を防止する第２のダイオード、および前記第２の太陽電池ストリングと前記インバータとの接続を開閉する第２の開閉器を備え、
前記制御部は、前記第１のダイオードが、前記第１の変圧部から出力される電力の逆流を防止できていない場合に、前記第１の開閉器および前記第２の開閉器を開状態にした後、前記第２の開閉器を閉状態にするように制御する。
【０００８】
第３の観点に係る電力制御方法は、
第１の太陽電池ストリングおよび第２の太陽電池ストリングによって発電される電力を制御する電力制御装置における電力制御方法であって、
前記電力制御装置は、
前記第１の太陽電池ストリングによって発電される電力を変圧してインバータに出力する第１の変圧部と、
前記第２の太陽電池ストリングによって発電される電力を変圧して前記インバータに出力する第２の変圧部と、
を備え、
前記第１の変圧部は、前記第１の変圧部から出力される電力の逆流を防止する第１のダイオード、および前記第１の太陽電池ストリングと前記インバータとの接続を開閉する第１の開閉器を有し、
前記第２の変圧部は、前記第２の変圧部から出力される電力の逆流を防止する第２のダイオード、および前記第２の太陽電池ストリングと前記インバータとの接続を開閉する第２の開閉器を有し、
前記電力制御方法は、
前記第１のダイオードが前記第１の変圧部から出力される電力の逆流を防止できていないことを判定する判定ステップと、
前記判定ステップにおいて、前記第１のダイオードが前記第１の変圧部から出力される電力の逆流を防止できていないと判定されたら、前記第１の開閉器および前記第２の開閉器を開状態にする開ステップと、
前記開ステップに次いで、前記第２の開閉器を閉状態にする閉ステップと、を含む。
【図面の簡単な説明】
【０００９】
【図１】本発明の一実施形態に係る電力制御システムを示す機能ブロック図である。
【図２】本発明の一実施形態に係る電力制御装置を部分的に示す機能ブロック図である。
【図３】本発明の一実施形態に係る電力制御の例を説明する図である。
【図４】本発明の一実施形態に係る電力制御の例を説明する図である。
【図５】本発明の一実施形態に係る電力制御の他の例を説明する図である。
【図６】本発明の一実施形態に係る電力制御の他の例を説明する図である。
【図７】本発明の一実施形態に係る電力制御装置の動作の例を説明するフローチャートである。
【図８】本発明の一実施形態に係る電力制御を説明する図である。
【図９】本発明の一実施形態に係る電力制御を説明する図である。
【図１０】本発明の一実施形態に係る電力制御を説明する図である。
【発明を実施するための形態】
【００１０】
図１は、本発明の実施形態に係る電力制御システムを概略的に示す機能ブロック図である。図１において、実線は主に電力の経路を示し、破線は主に制御信号または各種情報を通信する信号の経路を示す。以下の説明において、従来よく知られている要素および機能部については、適宜、説明を簡略化または省略する。
【００１１】
図１に示すように、本実施形態に係る電力制御システム１は、電力制御装置５と、複数の太陽電池ストリング２０Ａ〜２０Ｃと、を含んで構成される。図１に示す例では、電力制御システム１は、太陽電池ストリング２０Ａ、太陽電池ストリング２０Ｂ、および太陽電池ストリング２０Ｃの３つの太陽電池ストリングを含む場合について説明している。しかしながら、本実施形態に係る電力制御システム１は、任意の複数の太陽電池ストリング２０を含んで構成することができる。このため、電力制御システム１においては、例えば家屋の屋根の各方角ごとに太陽光発電部を設置することができる。
【００１２】
電力制御システム１において、複数の太陽電池ストリング２０Ａ〜２０Ｃは、それぞれ電力制御装置５に接続される。また、電力制御装置５は、負荷５０および系統６０にも接続される。
【００１３】
図１に示すように、電力制御装置５は、複数の太陽電池ストリング２０をまとめて系統連系する。このように、電力制御装置５が複数の太陽電池ストリング２０をまとめて系統連系する際には、ユーザが使用する家電製品などの負荷５０に電力を供給するために、電力制御装置５と系統６０との間に分電盤を設けることもできる。しかしながら、図１において、そのような分電盤は省略してある。
【００１４】
次に、本発明の実施形態に係る電力制御装置について説明する。
【００１５】
図１に示すように、本実施形態に係る電力制御装置５は、制御部１０と、複数の変圧部１２Ａ〜１２Ｃとを備えている。また、電力制御装置５は、インバータ１４、およびフィルタ部１６などの要素を適宜備えることができる。
【００１６】
複数の変圧部１２Ａ〜１２Ｃは、複数の太陽電池ストリング２０Ａ〜２０Ｃによって発電される電力をそれぞれ変圧すなわち昇圧または降圧してインバータ１４に出力する。このため、図１に示すように、複数の変圧部１２Ａ〜１２Ｃは、複数の太陽電池ストリング２０Ａ〜２０Ｃにそれぞれ接続される。また、複数の変圧部１２Ａ〜１２Ｃの出力はまとめてインバータ１４に接続される。さらにインバータ１４はフィルタ部１６に接続され、フィルタ部１６は負荷５０および系統６０に接続される。また、図１に示すように、制御部１０は、複数の変圧部１２Ａ〜１２Ｃ、インバータ１４、およびフィルタ部１６に接続されて、これらの各要素を制御および管理する。
【００１７】
太陽電池ストリング２０Ａ〜２０Ｃは、それぞれ、太陽電池のセルを複数直列接続したモジュールを、さらに複数直列接続したものである。本実施形態において、太陽電池は、太陽光のエネルギーを直流の電力に変換するものである。この太陽電池は、例えば光電変換セルを有する発電部がマトリクス状に接続され、所定の直流電流（たとえば１０Ａ）を出力するように構成される。この太陽電池は、シリコン系多結晶太陽電池、シリコン系単結晶太陽電池、またはＣＩＧＳ等薄膜系太陽電池等、光電変換可能なものであればその種類は制限されない。
【００１８】
電力制御装置５は、太陽電池ストリング２０Ａ〜２０Ｃの発電した直流の電力を変圧すなわち昇圧または降圧してから交流の電力に変換する。このようにして、電力制御装置５によって交流に変換された電力は、負荷５０に供給したり、余剰電力は系統６０に売電したりすることができる。本実施形態において、電力制御装置５が電力を昇圧または降圧する際には、当該昇圧または降圧は、制御部１０の制御により行うことができる。本実施形態に係る電力制御装置５は、一般的なパワーコンディショナ（インバータ）と同様の機能を含んで構成することができる。
【００１９】
変圧部１２Ａ〜１２Ｃは、それぞれ接続された太陽電池ストリング２０Ａ〜２０Ｃによって発電される電力を変圧して、インバータ１４に出力する。これらの変圧部１２Ａ〜１２Ｃは、例えばＤＣ／ＤＣコンバータのように、入力された直流の電力の電圧を変圧すなわち昇圧または降圧させることができる任意の変圧器で構成することができる。これらの変圧部１２Ａ〜１２Ｃの詳細については、さらに後述する。
【００２０】
インバータ１４は、双方向インバータとして構成すことができ、太陽電池ストリング２０Ａ〜２０Ｃが発電する直流の電力を交流の電力に変換し、また、系統６０から供給される交流の電力を直流の電力に変換する。
【００２１】
フィルタ部１６は、系統６０から供給される電力を順潮流として負荷５０に供給するのに適切な電力となるように調整する。また、フィルタ部１６は、太陽電池ストリング２０Ａ〜２０Ｃが発電した電力を逆潮流として系統６０に売電するのに適切な電力となるように調整する。
【００２２】
制御部１０は、電力制御装置５の各機能部をはじめとして電力制御装置５の全体を制御および管理する。特に、本実施形態において、制御部１０は、変圧部１２Ａ〜１２Ｃ、インバータ１４、およびフィルタ部１６に対して、各種の制御を行う。制御部１０は、例えばマイコンまたはプロセッサ（ＣＰＵ）などで構成することができる。また、制御部１０は、各種プログラムおよび種々の情報を記憶するメモリも備えるものとして、以下説明する。このメモリは、制御部１０が行うデータ解析および各種の演算処理などを行う際のアルゴリズム、およびルックアップテーブル（ＬＵＴ）のような各種の参照テーブルなども記憶する。本実施形態に特有の制御部１０による制御については、さらに後述する。
【００２３】
太陽電池ストリング２０Ａ〜２０Ｃが発電した電力は、インバータ１４を経て、電力を消費する各種の負荷５０に供給することができる。負荷５０は、電力制御システム１から電力が供給される、ユーザが使用する家電製品などの各種の機器とすることができる。図１においては、負荷５０は１つの部材として示してあるが、１つの部材には限定されず任意の個数の各種機器とすることができる。
【００２４】
インバータ１４に接続される太陽電池ストリング２０Ａ〜２０Ｃは、系統６０に連系して負荷５０に供給する電力を出力する。ここで、系統６０は、一般的な商用電力系統（商用電源／グリッド）とすることができる。
【００２５】
次に、本実施形態に係る変圧部１２について、さらに説明する。
【００２６】
図２は、本実施形態に係る変圧部１２をより詳細に示す機能ブロック図である。本実施形態に係る複数の変圧部１２Ａ〜１２Ｃは、図２に示すように、それぞれ同様の構成とすることができるため、代表例として、１つの変圧部１２Ａについて説明する。
【００２７】
図２に示すように、変圧部１２Ａは、コイル３０Ａ、スイッチング素子３２Ａ、ダイオード３４Ａ、コンデンサ３６Ａ，３８Ａ、開閉器４０、電流センサ４２Ａ、および電圧センサ４４Ａを備えている。
【００２８】
本実施形態では、図２に示すようなチョッパ方式のＤＣ／ＤＣコンバータと同様の構成により、太陽電池ストリング２０Ａが発電した電力を昇圧することができる。コイル３０Ａは、任意のチョークコイルで構成することができる。スイッチング素子３２Ａは、トランジスタおよびＭＯＳ  ＦＥＴなどの半導体素子によって構成することができる。コイル３０Ａは、スイッチング素子３２Ａがスイッチオンとなって太陽電池ストリング２０Ａが発電した電流が流れ込むとエネルギーを蓄える。また、コイル３０は、スイッチング素子３２Ａがスイッチオフとなった時、蓄えたエネルギーを放出する。
【００２９】
コンデンサ３６Ａ，３８Ａは、太陽電池ストリング２０Ａおよびコイル３０Ａが発生する電圧を蓄えることができる。ダイオード３４Ａは、コンデンサ３６Ａ，３８Ａに溜まった電圧が逆流するのを防止する。このダイオード３４Ａにより、太陽電池ストリング２０Ａが発電した電力は、変圧部１２Ａから逆流せずにインバータ１４に出力される。すなわち、本実施形態において、ダイオード３４Ａは、変圧部１２Ａから出力される電力の逆流を防止する。変圧部１２Ａが昇圧を行うための構成は、一般的なＤＣ／ＤＣコンバータにおける昇圧の回路と同様の構成とすることができるため、回路構成および各要素の接続態様についてのより詳細な説明は省略する。
【００３０】
本実施形態において、太陽電池ストリング２０Ａが発電した電力を変圧部１２Ａが昇圧する際には、制御部１０がスイッチング素子３２Ａのスイッチングを制御する。図２においては、制御部１０がスイッチング素子３２Ａを制御するための制御線は省略してある。制御部１０がスイッチング素子３２Ａのスイッチングのオン／オフの時間（デューティサイクル）を制御することで、必要な出力電圧を得ることができる。このように、制御部１０がスイッチング素子３２Ａのスイッチングを制御する際には、例えばＰＷＭ制御のような制御を行うことができる。変圧部１２Ａが、太陽電池ストリング２０Ａにより発電された電力を昇圧する際の制御は、一般的なＤＣ／ＤＣコンバータによる昇圧の制御と同様に行うことができるため、昇圧についてのより詳細な説明は省略する。
【００３１】
開閉器４０Ａは、ダイオード３４Ａとコンデンサ３６Ａ，３８Ａとの接続点と、インバータ１４との間に接続され、この箇所の接続の開状態または閉状態を切り替えることができる。すなわち、本実施形態において、開閉器４０は、太陽電池ストリング２０とインバータ１４との接続を開閉する。すなわち、開閉器４０は、太陽電池ストリング２０とインバータ１４との間の接続および切断を切り替えることができる。この開閉器４０Ａは、任意のパワーリレーのようなスイッチにより構成することができる。開閉器４０Ａの開閉は、制御部１０の制御により行うことができる。したがって、図２に示すように、開閉器４０Ａは、制御部１０に制御線により接続される。
【００３２】
電流センサ４２Ａは、変圧部１２Ａに接続された太陽電池ストリング２０Ａによって発電される電力の電流値を検出する。また、電圧センサ４４Ａは、変圧部１２Ａに接続された太陽電池ストリング２０Ａによって発電される電力の電圧値を検出する。このため、電流センサ４２Ａおよび電圧センサ４４は、例えば図２に示すような箇所にそれぞれ接続することができるが、これらは、太陽電池ストリング２０Ａによって発電される電力の電流値および電圧値を計測可能な任意の箇所に接続することができる。
【００３３】
以上、変圧部１２Ａ〜１２Ｃのうち、代表例として変圧部１２Ａについて説明したが、変圧部１２Ｂ，１２Ｃについても同様の構成とすることができる。図２に示すように、変圧部１２Ｂ，１２Ｃの出力は、それぞれ変圧部１２Ａの出力に集約される。
【００３４】
次に、電力制御システム１における電力制御について説明する。
【００３５】
図３は、電力制御システム１の動作の一例を示す図である。
【００３６】
通常、電力制御システム１を構成する各要素が全て適切に機能していれば、太陽電池ストリング２０Ａ〜２０Ｃが発電した電力は、それぞれ変圧部１２Ａ〜１２Ｃにより変圧された後に集約されて、インバータ１４に出力される。電力制御装置５は、太陽電池ストリング２０Ａ〜２０Ｃが発電した電力を最大限に享受できるように、最大電力点に追従して動作する（ＭＰＰＴ動作）。
【００３７】
ここで、例えば図３に示すように、変圧部１２Ｂにおいて、スイッチング素子３２Ｂが故障など何らかの不具合を生じた場合を想定する。例えばスイッチング素子３２Ｂが短絡故障すると、図３に示すように、短絡電流が回路上を流れ続けるようになる。このように、スイッチング素子３２Ｂが適切に機能しなくなると、変圧部１２Ｂは、太陽電池ストリング２０Ｂが発電した電力を適切に変圧してインバータ１４に出力することができなくなる。
【００３８】
図４は、図３に示した変圧部１２Ａ〜１２Ｃにおいて、それぞれ電流センサ４２Ａ〜４２Ｃおよび電圧センサ４４Ａ〜４４Ｃが検出する電流値および電圧値を示す図である。図４（Ａ）は、変圧部１２Ａにおいて検出される太陽電池ストリング２０Ａの動作状態を示すグラフである。図４（Ｂ）は、変圧部１２Ｂにおいて検出される太陽電池ストリング２０Ｂの動作状態を示すグラフである。図４（Ｃ）は、変圧部１２Ｃにおいて検出される太陽電池ストリング２０Ｃの動作状態を示すグラフである。
【００３９】
図３に示した変圧部１２Ａおよび変圧部１２Ｃは適切に機能しているため、図４（Ａ）および（Ｃ）に示すように、最大電力点に追従した動作を行うことができている。しかしながら、図３に示した変圧部１２Ｂは適切に機能していないため、図４（Ｂ）に示すように、最大電力点に追従した動作を行うことができていない。図４（Ｂ）に示すように、変圧部１２Ｂにおいては、短絡しているため、電圧がゼロになり、最大の電流が流れている。
【００４０】
図５は、電力制御システム１の図３に続く動作の一例を示す図である。
【００４１】
図５に示すように、スイッチング素子３２Ｂが適切に機能していない状態で、さらにダイオード３４Ｂも故障など何らかの不具合を生じた場合を想定する。ダイオード３４Ｂは、上述したように、変圧部１２Ｂから出力される電力の逆流を防止するために設置されている。このため、ダイオード３４Ｂが適切に逆流を防止できなくなると、種々の不都合が想定される。
【００４２】
図５に示すように、ダイオード３４Ｂが適切に機能していないと、太陽電池ストリング２０Ａが発電した電力は、変圧部１２Ａを経て変圧部１２Ｂに逆流し、変圧部１２Ｂから変圧部１２Ａに戻ってくる。図５においては、太陽電池ストリング２０Ａが発電した電力は、太い実線により示してある。また、図５に示すように、ダイオード３４Ｂが適切に機能していないと、太陽電池ストリング２０Ｃが発電した電力は、変圧部１２Ｃを経て変圧部１２Ｂに逆流し、変圧部１２Ｂから変圧部１２Ｃに戻ってくる。図５においては、太陽電池ストリング２０Ｃが発電した電力は、太い破線により示してある。
【００４３】
図５に示したように、ダイオード３４Ｂが例えばショート破壊して適切に機能していないと、太陽電池ストリング２０Ａおよび２０Ｃにより発電された電力が変圧部１２Ｂに流れ込む。このため、変圧部１２Ｂには大きな電流が流れることになり、例えば発熱などの不都合が生じるおそれがある。図５においては、電力制御システム１が太陽電池ストリングを３つ含む例について示したが、太陽電池ストリングが多くなればなるほど、このような状況において発熱などの不都合は拡大するおそれがある。
【００４４】
図６は、図５に示した変圧部１２Ａ〜１２Ｃにおいて、それぞれ電流センサ４２Ａ〜４２Ｃおよび電圧センサ４４Ａ〜４４Ｃが検出する電流値および電圧値を示す図である。図６に示すグラフの意味内容は、図４と同様である。
【００４５】
図６に示すように、ダイオード３４Ｂが適切に機能していないと、変圧部１２Ａおよび変圧部１２Ｃは適切に機能しているにもかかわらず、これらから出力される電力も短絡となり、電圧がゼロになり、最大の電流が流れる。図６（Ａ）、図６（Ｂ）、および図６（Ｃ）ともに、短絡しているため、電圧がゼロになり、最大の電流が流れていることを示している。すなわち、この状況では、不具合が生じているのは変圧部１２Ｂのみであるにもかかわらず、太陽電池ストリング２０Ｂにより発電された電力のみならず、太陽電池ストリング２０Ａおよび２０Ｃにより発電された電力も、適切に利用することができない。
【００４６】
上述した動作の例においては、図３でスイッチング素子３２Ｂが適切に機能しなくなり、続いて図５でダイオード３４Ｂが適切に機能しなくなった場合を想定して説明した。しかしながら、例えばスイッチング素子３２Ｂは適切に機能していたとしても、ダイオード３４Ｂが適切に機能しなくなると、同様の不都合が発生する。すなわち、ダイオード３４Ｂが適切に機能しなくなると、スイッチング素子３２Ｂがオンになるタイミングで、全ての太陽電池ストリングによって発電された電力が変圧部１２Ｂに流れ込む。このため、変圧部１２Ｂにおいて発熱が生じたり、正常な他の太陽電池ストリングにおいても電圧がゼロになるため発電が継続できなくなる等の不都合が生じたりするおそれがある。
【００４７】
そこで、本実施形態に係る電力制御システム１は、上述のような不都合を解消するために、以下に説明するような動作を行う。
【００４８】
図７は、本実施形態に係る電力制御装置５の動作を説明するフローチャートである。
【００４９】
図７に示す動作が開始する時点では、電力制御システム１が平常運転を行うことができるように、制御部１０は、開閉器４０Ａ〜４０Ｃの全てを閉状態にするように制御してあるものとする。
【００５０】
図７に示す動作が開始すると、電力制御システム１は運転を開始し、太陽電池ストリング２０Ａ〜２０Ｃは発電を開始する。この開始時点において、電力制御装置５は、各電圧センサ４４Ａ〜４４Ｃのそれぞれが検出する電圧値が起動判定電圧として予め規定された電圧値を超えた際に運転を開始するように制御してもよい。
【００５１】
電力制御システム１が運転を開始すると、制御部１０は、太陽電池ストリング２０Ａ〜２０Ｃが発電する電力の電圧値Ｖが、第１の閾値α１以上であるか否かを判定する（ステップＳ１１）。ここで、第１の閾値α１とは、電力制御システム１が運転を継続するか否かを判定するための太陽電池ストリング２０Ａ〜２０Ｃが発電する電力の電圧値として、予め適切な値を規定する。この閾値α１を下回るようであれば、当該太陽電池ストリングによって発電された電力を変圧している変圧部には何らかの問題が生じていると判定できる程度に低い電圧を規定する。ステップＳ１１において太陽電池ストリング２０Ａ〜２０Ｃが発電する電力の電圧値Ｖが第１の閾値α１以上であれば、制御部１０は、電力制御システム１の運転を継続する。
【００５２】
図８は、変圧部１２Ａ〜１２Ｃにおいて、それぞれ電流センサ４２Ａ〜４２Ｃおよび電圧センサ４４Ａ〜４４Ｃが検出する電流値および電圧値を示す図である。図８に示すグラフの意味内容は、図４と同様である。
【００５３】
図８（Ａ）に示すように、太陽電池ストリング２０Ａ〜２０Ｃにそれぞれ対応する変圧部１２Ａ〜１２Ｃが正常に動作している時は、電圧センサ４４Ａ〜４４Ｃが検出する電圧値は、閾値α１以上となっている。このような場合は、変圧部１２Ａ〜１２Ｃは、太陽電池ストリング２０Ａ〜２０Ｃが発電する電力を、適切なＭＰＰＴ動作によって変圧することができていると判定することができる。
【００５４】
一方、ステップＳ１１において太陽電池ストリング２０Ａ〜２０Ｃのいずれかが発電する電力の電圧値Ｖが第１の閾値α１を下回れば、制御部１０は、変圧部１２Ａ〜１２Ｃの全ての開閉器４０Ａ〜４０Ｃを開状態にするように制御する（ステップＳ１２）。これにより、不具合が生じている変圧部に、他の太陽電池ストリングによって発電された電力が逆流することは阻止される。したがって、本実施形態によれば、不具合が生じている変圧部に大きな電流が流れて発熱するなどの不都合は解消される。
【００５５】
このように、本実施形態において、制御部１０は、複数の変圧部１２のいずれかにおいて、ダイオード３４が当該変圧部１２から出力される電力の逆流を防止できていないと判定したら、複数の変圧部１２の全ての開閉器４０を開状態にするように制御する。この時、制御部１０は、複数の変圧部１２のいずれかにおいて、電圧センサ４４によって検出される電圧値が第１の閾値を下回った時、ダイオード３４が当該変圧部１２から出力される電力の逆流を防止できていないと判定してもよい。
【００５６】
ステップＳ１２において全ての開閉器４０Ａ〜４０Ｃを開状態にしたら、制御部１０は、各変圧部１２Ａ〜１２Ｃにおいて、次の条件が満たされているか否かを判定する（ステップＳ１３）。すなわち、ステップＳ１３において、制御部１０は、電圧センサ４４Ａ〜４４Ｃが検出する電圧値Ｖが第２の閾値α２以上であり、かつ、電流センサ４２Ａ〜４２Ｃが検出する電流値Ｉが第３の閾値β以下であるか否かを判定する。
【００５７】
ステップＳ１２において開閉器４０Ａ〜４０Ｃを開状態にした後、各変圧部１２Ａ〜１２Ｃにおいて不具合が生じていなければ、その変圧部においては、図８（Ｂ）に示すように、ある程度の電圧が検出され、かつ、ほぼゼロの電流が検出される。このように、正常に機能している変圧部を判定することができるように、電圧の第２の閾値α２は、再び起動することができると判定できる適切な閾値を予め設定する。この閾値α２は、図８に示すように、閾値α１よりも小さな電圧の閾値とすることができる。また、電流の第３の閾値βは、電流がほとんど発生していないことを判定することができる適切な閾値を予め設定する。この閾値βは、図８に示すように、ゼロに近い電流の閾値とすることができる。
【００５８】
ステップＳ１３において上述した条件が満たされていると判定されたら、当該変圧部１２は、対応する太陽電池ストリング２０が発電する電力を適切に変圧することができると考えることができる。したがって、この場合、制御部１０は、当該変圧部１２の開閉器４０を閉状態にするように制御する（ステップＳ１４）。これにより、異常をきたしていない変圧部１２は、以後、対応する太陽電池ストリング２０が発電する電力の変圧を継続することができる。
【００５９】
このように、本実施形態において、制御部１０は、複数の変圧部１２のうち電力の逆流を防止できていないと判定されたダイオード３４を有する変圧部１２以外の変圧部１２の開閉器４０を閉状態にするように制御してもよい。ここで、制御部１０は、複数の変圧部１２の全ての開閉器４０を開状態にしてから、複数の変圧部１２のいずれかにおいて、電圧センサ４４によって検出される電圧値が第２の閾値以上であり、電流センサ４２によって検出される電流値が第３の閾値以下である時、当該変圧部１２の開閉器４０を閉状態にするように制御してもよい。
【００６０】
一方、ステップＳ１３において上述した条件が満たされていなければ、制御部１０は、各変圧部１２Ａ〜１２Ｃにおいて、次の条件が満たされているか否かを判定する（ステップＳ１５）。すなわち、ステップＳ１５において、制御部１０は、電圧センサ４４Ａ〜４４Ｃが検出する電圧値Ｖが第２の閾値α２を下回り、かつ、電流センサ４２Ａ〜４２Ｃが検出する電流値Ｉが第３の閾値βを超えるか否かを判定する。
【００６１】
ステップＳ１２において開閉器４０Ａ〜４０Ｃを開状態にした後、各変圧部１２Ａ〜１２Ｃにおいて不具合が生じていれば、その変圧部においては、図８（Ｃ）に示すように、電圧がゼロであることが検出され、かつ、電流が最大になっていることが検出される。このように、異常をきたしている変圧部を判定することができるように、電圧の第２の閾値α２および電流の第３の閾値βを予め設定する。
【００６２】
ステップＳ１５において上述した条件が満たされていると判定されたら、当該変圧部１２は、対応する太陽電池ストリング２０が発電する電力を適切に変圧することができないと考えることができる。したがって、この場合、制御部１０は、当該変圧部１２の開閉器４０を開状態にしたままにするように制御する（ステップＳ１６）。
【００６３】
また、ステップＳ１６においては、開閉器４０を開状態にした変圧部１２に異常が検出されたことをユーザに知らせるために、制御部１０は、適宜エラーを通知するように制御してもよい。ここで、エラー通知とは、例えば、電力制御装置５などに備えられた表示部に変圧部１２を特定してエラーを表示してもよいし、同時にブザーなどの音で通知してもよいし、さらに例えばネットワークなどを介して所定の箇所にエラーを通知してもよい。
【００６４】
一方、ステップＳ１５において上述した条件が満たされていないと判定されたら、制御部１０は、ステップＳ１３の動作を行う。ステップＳ１５において上述した条件が満たされていない、すなわち電流Ｉが第３の閾値β以下で、かつ、電圧Ｖがα２以上の場合は、日射急変または曇天等で、太陽電池ストリングが発電できない事態も想定される。このため、このような場合は、電圧Ｖを監視し続けてステップＳ１３と同じ状況下になったら変圧部１２は適切に機能していると判断することができる。
【００６５】
このように、本実施形態において、制御部１０は、複数の変圧部１２の全ての開閉器４０を開状態にしてから、複数の変圧部１２のいずれかにおいて、電圧センサ４４によって検出される電圧値が第２の閾値を下回り、電流センサ４２によって検出される電流値が第３の閾値を超える時、当該変圧部１２の開閉器４０を開状態にしたままにするように制御してもよい。
【００６６】
以上のステップＳ１３〜ステップＳ１６までの動作は、各太陽電池ストリング２０Ａ〜２０Ｃにそれぞれ対応する変圧部１２Ａ〜１２Ｃの全てについて行うことを想定している。このため、ステップＳ１７において、全ての太陽電池ストリング２０Ａ〜２０Ｃに対応する変圧部１２Ａ〜１２Ｃについて正常または異常のチェックが完了したら、電力制御装置５は、本実施形態に係る動作を終了する。一方、ステップＳ１７において、まだ変圧部１２について正常または異常のチェックが完了していない太陽電池ストリング２０がある場合は、制御部１０は、ステップＳ１３に戻ってチェックを続行する。
【００６７】
図９は、本実施形態に係る電力制御システム１において、電力制御装置５内の要素に不具合が発生した際の動作を説明する図である。
【００６８】
図９は、図５で説明したのと同様の状況、すなわち、変圧部１２Ｂにおいて、スイッチング素子３２Ｂおよびダイオード３４Ｂに不具合が生じた状況を示している。本実施形態においては、図７のフローチャートで説明した動作を行うと、不具合が生じたダイオード３４Ｂを含む変圧部１２Ｂのみにおいて、開閉器４０Ｂが開状態のまま維持される。一方、不具合が生じていない変圧部１２Ａ，１２Ｃにおいては、開閉器４０Ａ，４０Ｃは閉状態に切り換えられる。図９に示すように、不具合が生じたダイオード３４Ｂを含む変圧部１２Ｂは、太陽電池ストリング２０Ｂが発電する電力を変圧することができない。しかしながら、図９に示すように、不具合が生じていない変圧部１２Ａ，１２Ｃは、太陽電池ストリング２０Ａ，２０Ｂが発電する電力を再び適切に変圧して出力することができる。
【００６９】
図１０は、図９に示した変圧部１２Ａ〜１２Ｃにおいて、それぞれ電流センサ４２Ａ〜４２Ｃおよび電圧センサ４４Ａ〜４４Ｃが検出する電流値および電圧値を示す図である。図１０に示すグラフの意味内容は、図４および図６と同様である。
【００７０】
図１０（Ｂ）に示すように、図９に示したダイオード３４Ｂが適切に機能していないと、変圧部１２Ｂにおいては電力が短絡となり、変圧部１２Ｂにおいて検出される電圧はゼロになり、検出される電流は最大となる。このように、変圧部１２Ｂは、太陽電池ストリング２０Ｂが発電する電力を適切に変圧することはできない。一方、図１０（Ａ）および図１０（Ｃ）に示すように、変圧部１２Ｂが適切に機能していなくても、変圧部１２Ａ，１２Ｃが正常に動作していれば、これらは太陽電池ストリング２０Ａ，２０Ｃが発電する電力をＭＰＰＴ動作により変圧することができる。この状況では、不具合が生じているのは変圧部１２Ｂのみであり、太陽電池ストリング２０Ａおよび２０Ｃにより発電された電力は適切に利用することができる。
【００７１】
このように、本実施形態によれば、複数の太陽電池ストリング２０Ａ〜２０Ｃが発電する電力を制御する電力制御装置５において、装置５内のダイオード３４のような要素に不具合が発生した際の不都合を改善することができる。
【００７２】
以上説明したように、ＤＣ／ＤＣコンバータ回路内の逆流防止ダイオードがショート破損すると、全ての太陽電池ストリングの発電ができなくなるのみならず、１つの入力回路に全ストリングぶんの電流が流れて、発熱などの原因となり得る。しかしながら、本発明では、各ＤＣ／ＤＣコンバータ回路の出力部にパワーリレーのような開閉器を設けることにより、上記のような事例が発生した場合でも、瞬時に全ての開閉器を開状態にして不都合を改善することができる。
【００７３】
また、本発明では、全ての開閉器を開状態にして全ての太陽電池ストリングを解列し、回路内に設けられた電流センサを利用して、大電流が流れた変圧部を特定する。逆流防止ダイオードおよびスイッチング素子が破損した場合、当該昇圧部において検出される電圧はゼロとなり、検出される電流は短絡電流値となる。このような電圧および電流が検出された場合、電力制御装置５は、外部に故障通知を出すと共に、対象となる変圧部の開閉器は閉状態にせずに開状態を維持するように制御する。破損した変圧部以外の他の変圧部については、通常制御で動作させることで、ユーザは、メンテナンス作業員が復旧対応を行うまでの期間、破損した変圧部に接続された太陽電池ストリング以外の太陽電池ストリングが発電する最大の電力を享受することができる。このように、本発明では、不具合が発生したＤＣ／ＤＣコンバータのみを停止させることで、ユーザは、当該ＤＣ／ＤＣコンバータが修理されるまでの間、他の太陽電池ストリングが発電する最大の電力を享受することができる。
【００７４】
このように、本発明によれば、太陽電池ストリングを複数接続する電力制御システムの信頼性およびメンテナンス特性を著しく改善することができる。
【００７５】
本発明を諸図面や実施例に基づき説明してきたが、当業者であれば本開示に基づき種々の変形および修正を行うことが容易であることに注意されたい。したがって、これらの変形および修正は本発明の範囲に含まれることに留意されたい。例えば、各機能部、各手段、各ステップなどに含まれる機能などは論理的に矛盾しないように再配置可能であり、複数の機能部やステップなどを１つに組み合わせたり、或いは分割したりすることが可能である。また、上述した本発明の実施形態は、それぞれ説明した実施形態に忠実に実施することに限定されるものではなく、適宜、各特徴を組み合わせて実施することもできる。
【００７６】
上述した実施形態においては、太陽電池ストリングおよび対応する変圧部が３つの場合について説明した。しかしながら、本発明に係る電力制御システムおよび電力制御装置においては、これらの数は任意の複数とすることができる。
【００７７】
以上、本実施形態に係る電力制御装置、および前記電力制御装置を含む電力制御システムについて説明したが、本発明は、上述したような電力制御システムにおける電力制御方法として実施することもできる。
この場合、前記方法は、
複数の変圧部１２のいずれかにおいて、ダイオード３４が当該変圧部１２から出力される電力の逆流を防止できていないことを判定する判定ステップと、
判定ステップにおいて、ダイオード３４が当該変圧部１２から出力される電力の逆流を防止できていないと判定されたら、複数の変圧部１２の全ての開閉器４０を開状態にする開ステップと、
開ステップに次いで、複数の変圧部１２のうち電力の逆流を防止できていないと判定されたダイオードを有する変圧部１２以外の変圧部１２の開閉器４０を閉状態にする閉ステップと、を含む。
【００７８】
本発明の実施形態係る複数の太陽電池ストリングが発電する電力を制御する電力制御装置、電力制御システム、および電力制御方法によれば、装置内の要素に不具合が発生した際の不都合を改善することができる。
【００７９】
本開示内容の多くの側面は、プログラム命令を実行可能なコンピュータシステムその他のハードウェアによって実行される、一連の動作として示される。コンピュータシステムその他のハードウェアには、例えば、汎用コンピュータ、ＰＣ(パーソナルコンピュータ)、専用コンピュータ、ワークステーション、ＰＣＳ（Personal Communications System、パーソナル移動通信システム）、電子ノートパッド、ラップトップコンピュータ、又はその他のプログラム可能なデータ処理装置が含まれる。本発明の実施形態では、種々の動作は、プログラム命令（ソフトウェア）で実装された専用回路（例えば、特定機能を実行するために相互接続された個別の論理ゲート）又は、１つ以上のプロセッサによって実行される論理ブロック若しくはプログラムモジュール等によって実行されることに留意されたい。論理ブロック又はプログラムモジュール等を実行する１つ以上のプロセッサには、例えば、１つ以上のマイクロプロセッサ、ＣＰＵ（中央演算処理ユニット）、ＡＳＩＣ（Application Specific Integrated Circuit）、ＤＳＰ（Digital Signal Processor）、ＰＬＤ（Programmable Logic Device）、ＦＰＧＡ（Field Programmable Gate Array）、コントローラ、マイクロコントローラ、電子機器、ここに記載する機能を実行可能に設計されたその他の装置及び／又はこれらいずれかの組合せが含まれる。ここに示す実施形態は、例えば、ハードウェア、ソフトウェア、ファームウェア、ミドルウェア、マイクロコード又はこれらいずれかの組合せによって実装される。
【００８０】
ここで用いられる機械読取り可能な非一時的記憶媒体は、更に、ソリッドステートメモリ、磁気ディスク及び光学ディスクの範疇で構成されるコンピュータ読取り可能な有形のキャリア（媒体）として構成することができる。かかる媒体には、ここに開示する技術をプロセッサに実行させるためのプログラムモジュールなどのコンピュータ命令の適宜なセット及び、データ構造が格納される。コンピュータ読取り可能な媒体には、１つ以上の配線を備えた電気的接続、磁気ディスク記憶媒体、その他の磁気及び光学記憶装置（例えば、ＣＤ（Compact Disk）、ＤＶＤ（登録商標）（Digital Versatile Disc）、及びブルーレイディスク）、可搬型コンピュータディスク、ＲＡＭ（Random Access Memory）、ＲＯＭ（Read-Only Memory）、ＥＰＲＯＭ、ＥＥＰＲＯＭ若しくはフラッシュメモリ等の書換え可能でプログラム可能なＲＯＭ若しくは情報を格納可能な他の有形の記憶媒体又はこれらいずれかの組合せが含まれる。メモリは、プロセッサ／プロセッシングユニットの内部及び／又は外部に設けることができる。ここで用いられるように、「メモリ」という語は、あらゆる種類の長期記憶用、短期記憶用、揮発性、不揮発性その他のメモリを意味し、特定の種類若しくはメモリの数又は記憶が格納される媒体の種類は限定されない。
【符号の説明】
【００８１】
１  電力制御システム
５  電力制御装置
１０  制御部
１２  変圧部
１４  インバータ
１６  フィルタ部
２０  太陽電池ストリング
３０  コイル
３２  スイッチング素子
３４  ダイオード
３６，３８  コンデンサ
４０  開閉器
４２  電流センサ
４４  電圧センサ
５０  負荷
６０  系統
【図１】
0006450403.tif 000002
【図２】
0006450403.tif 000003
【図３】
0006450403.tif 000004
【図４】
0006450403.tif 000005
【図５】
0006450403.tif 000006
【図６】
0006450403.tif 000007
【図７】
0006450403.tif 000008
【図８】
0006450403.tif 000009
【図９】
0006450403.tif 000010
【図１０】
0006450403.tif 000011